(57)【要約】【課題】操作対象のコンピュータがアナログ画像信号を出力するコンピュータに切り替えられるたびに、適切な画質調整を実行することができるＫＶＭスイッチを提供する。【解決手段】ＫＶＭスイッチ２０は、コンピュータ１１Ａ，１１Ｂからアナログ画像信号をそれぞれ入力するアナログ画像入力端子２４Ａ，２４Ｂと、当該複数のアナログ画像信号の各々の画質を調整する調整値をアナログ画像入力端子毎に記憶するメモリ２２Ａと、キーボード１６の操作に応じて、アナログ画像入力端子２４Ａ，２４Ｂのうちいずれか１つを選択するマイコン２２と、選択されたアナログ画像入力端子に対応する調整値に基づいて、選択されたアナログ画像入力端子に入力されるアナログ画像信号の画質を調整する画像信号調整部２１３とを備えている。【選択図】図４
2016119007.tif 000002
【特許請求の範囲】
【請求項１】
複数のコンピュータとディスプレイとの間に接続されるＫＶＭ（Ｋ：キーボード、Ｖ：ビデオ、Ｍ：マウス）スイッチであって、
前記複数のコンピュータからアナログ画像信号をそれぞれ入力する複数の入力手段と、
前記複数のアナログ画像信号の各々の画質を調整する調整値を前記入力手段毎に記憶する記憶手段と、
キーボードの操作に応じて、前記複数の入力手段のうちいずれか１つを選択する選択手段と、
前記選択された入力手段に対応する調整値に基づいて、前記選択された入力手段に入力されるアナログ画像信号の画質を調整する調整手段と、
を備えることを特徴とするＫＶＭスイッチ。
【請求項２】
前記調整値は、画像の明るさを調整する第１調整値、前記ディスプレイ上の画像の表示位置を調整する第２調整値、前記ディスプレイ上の画像のちらつきやにじみを調整する第３調整値、及び水平同期信号の検出レベルを調整する第４調整値の少なくとも１つを含むことを特徴とする請求項１に記載のＫＶＭスイッチ。
【請求項３】
前記記憶手段は、各々の入力手段から入力した前記アナログ画像信号の画質を調整する調整値を前記ディスプレイの画面解像度毎に記憶することを特徴とする請求項１又は２に記載のＫＶＭスイッチ。
【請求項４】
コンピュータからデジタル画像信号を入力する第１入力手段と、
前記調整手段で調整されたアナログ画像信号をデジタル画像信号に変換する変換手段と、
前記選択手段により前記入力手段及び前記第１入力手段のうち１つが選択された場合に、当該選択の結果に応じて、前記ディスプレイに表示されるデジタル画像信号の出力元を選択された前記第１入力手段又は前記変換手段に切り替えるスイッチ手段と、
を備えることを特徴とする請求項１乃至３のいずれか１項に記載のＫＶＭスイッチ。
【請求項５】
前記調整値を前記入力手段毎に設定する設定手段
を備えることを特徴とする請求項１乃至４のいずれか１項に記載のＫＶＭスイッチ。
【請求項６】
複数のコンピュータとディスプレイとの間に接続されるＫＶＭ（Ｋ：キーボード、Ｖ：ビデオ、Ｍ：マウス）スイッチであって、
いずれかのコンピュータからのアナログ画像信号の入力を受け付ける第１の入力手段と、
前記第１の入力手段から入力したアナログ画像信号の画質を調整する調整手段と、
前記調整手段で調整されたアナログ画像信号をデジタル画像信号に変換する変換手段と、
いずれかのコンピュータからのデジタル画像信号の入力を受け付ける第２の入力手段と、
前記第１の入力手段あるいは前記第２の入力手段を選択する操作を受け付ける選択手段と、
前記選択手段における選択操作に応じて、前記ディスプレイに表示されるデジタル画像信号の出力元を前記変換手段あるいは前記第２の入力手段に切り替えるスイッチ手段と、
を備えることを特徴とするＫＶＭスイッチ。
【発明の詳細な説明】
【技術分野】
【０００１】
本発明は、ＫＶＭスイッチに関する。
【背景技術】
【０００２】
図１（Ａ），（Ｂ）は、コンピュータ及びディスプレイを備えるシステムの構成を示す図である。図１（Ａ）では、コンピュータ１Ａはアナログ信号ケーブル３を介してアナログ画像信号（例えば、アナログＲＧＢ信号）をディスプレイ２Ａ（例えばＬＣＤ（Liquid Crystal Display））に出力する。アナログ画像信号は、伝送経路での損失等により信号レベルの劣化や表示タイミングのずれ（即ち、アナログ画像信号をデジタルサンプリングする際のサンプリングタイミングのずれ）が生じる。このような、信号レベルの劣化や表示タイミングのずれは、直接画質に影響し、画像のにじみ、ちらつき及びずれが発生する。この画像のにじみ、ちらつき及びずれを補正するために、ディスプレイ２Ａは画質調整機能を備えている。
【０００３】
図１（Ｂ）では、コンピュータ１Ａはデジタル信号ケーブル４を介してデジタル画像信号（例えば、ＤＶＩ（Digital Visual Interface）信号又はＨＤＭＩ（登録商標）（High-Definition Multimedia Interface）信号）をディスプレイ２Ｂ（例えばＬＣＤ）に出力する。デジタル画像信号の伝送では、コンピュータ１Ａは、画角の情報もディスプレイ２Ｂに伝送するので、画質に影響を与える画像のにじみ、ちらつき及びずれが発生しない。このため、ディスプレイ２Ｂは画質調整機能を備えていない。
【０００４】
図２（Ａ），（Ｂ）は、コンピュータ、ディスプレイ及びＫＶＭスイッチを備えるシステムの構成を示す図である。図２（Ａ）では、ＫＶＭスイッチ５Ａ（例えば、アナログＫＶＭスイッチ）が、ディスプレイ２Ａに接続されるコンピュータをコンピュータ１Ａ〜１Ｄから選択する。選択されたコンピュータからのアナログ画像信号がＫＶＭスイッチ５Ａ及びアナログ信号ケーブル６を介してディスプレイ２Ａに出力される。この場合、ＫＶＭスイッチ５Ａ及びアナログ信号ケーブル６での損失等により信号レベルの劣化や表示タイミングのずれが生じる。しかし、ディスプレイ２Ａが画質調整機能を備えているので、ディスプレイ２Ａは表示されるアナログ画像信号の画質を調整することができる。
【０００５】
ただし、ＫＶＭスイッチ５Ａが使用される場合、コンピュータ１Ａ〜１Ｄとディスプレイ２Ａとの間に複数の伝送経路が存在する。これに対して、ディスプレイ２Ａは、１つの伝送経路に対応する、画質調整を行うための調整値しか備えていないので、ＫＶＭスイッチ５Ａがコンピュータを切り替えるたびに、操作者はディスプレイ２Ａの画質調整機能を使ってアナログ画像信号の画質を調整する必要がある。
【０００６】
図２（Ｂ）では、ＫＶＭスイッチ５Ｂ（例えば、デジタルＫＶＭスイッチ）が、ディスプレイ２Ｂに接続されるコンピュータをコンピュータ１Ａ〜１Ｄから選択する。選択されたコンピュータからのデジタル画像信号がＫＶＭスイッチ５Ｂ及びデジタル信号ケーブル７を介してディスプレイ２Ｂに出力される。この場合、コンピュータ１Ａ〜１Ｄの各々は、画角の情報もディスプレイ２Ｂに伝送するので、画質に影響を与える画像のにじみ、ちらつき及びずれが発生しない。このため、ディスプレイ２Ｂは画質調整機能を備えていない。
【０００７】
また、従来より、基準信号を受信し、映像信号の歪み調整を行うＫＶＭスイッチが知られている（例えば、特許文献１参照）。
【先行技術文献】
【特許文献】
【０００８】
【特許文献１】特開２００８−１２９９０８号公報
【発明の概要】
【発明が解決しようとする課題】
【０００９】
図３は、コンピュータ、ディスプレイ及びＫＶＭスイッチを備えるシステムの構成を示す図である。ＫＶＭスイッチ５Ｃは、アナログデジタル兼用ＫＶＭスイッチであり、デジタル信号ケーブル７を介してコンピュータ１Ａ，１Ｂ及びディスプレイ２Ｂに接続されており、アナログ信号ケーブル６を介してコンピュータ１Ｃ，１Ｄに接続されている。コンピュータ１Ａ，１Ｂからはデジタル画像信号が出力され、コンピュータ１Ｃ，１Ｄからはアナログ画像信号が出力される。ディスプレイ２Ｂは画質調整機能を備えていない。この場合、コンピュータ１Ａ及び１Ｂの各々は、画角の情報もディスプレイ２Ｂに伝送するので、画質に影響を与える画像のにじみ、ちらつき及びずれが発生しない。
【００１０】
しかしながら、コンピュータ１Ｃ及び１Ｄの各々は、画角の情報をディスプレイ２Ｂに伝送しないので、画質に影響を与える画像のにじみ、ちらつき及びずれが発生する。そして、ディスプレイ２Ｂは画質調整機能を備えていないので、アナログ画像信号の画質を調整することができない。
【００１１】
また、ディスプレイ２Ｂが画質調整機能を備えている場合でも、操作対象のコンピュータがアナログ画像信号を出力するコンピュータに切り替えられるたびに、操作者はディスプレイ２Ｂの画質調整機能を使ってアナログ画像信号の画質を調整する必要がある。このため、操作対象のコンピュータがアナログ画像信号を出力するコンピュータに切り替えられるたびに、操作者は煩わしい画質調整操作を実行しなければならない。
【００１２】
本発明は、操作対象のコンピュータがアナログ画像信号を出力するコンピュータに切り替えられるたびに、適切な画質調整を実行することができるＫＶＭスイッチを提供することを目的とする。
【課題を解決するための手段】
【００１３】
上記目的を達成するため、明細書に開示されたＫＶＭスイッチは、複数のコンピュータとディスプレイとの間に接続されるＫＶＭ（Ｋ：キーボード、Ｖ：ビデオ、Ｍ：マウス）スイッチであって、前記複数のコンピュータからアナログ画像信号をそれぞれ入力する複数の入力手段と、前記複数のアナログ画像信号の各々の画質を調整する調整値を前記入力手段毎に記憶する記憶手段と、キーボードの操作に応じて、前記複数の入力手段のうちいずれか１つを選択する選択手段と、前記選択された入力手段に対応する調整値に基づいて、前記選択された入力手段に入力されるアナログ画像信号の画質を調整する調整手段と、を備える。
【発明の効果】
【００１４】
本発明によれば、操作対象のコンピュータがアナログ画像信号を出力するコンピュータに切り替えられるたびに、適切な画質調整を実行することができる。
【図面の簡単な説明】
【００１５】
【図１】（Ａ），（Ｂ）は、コンピュータ及びディスプレイを備えるシステムの構成を示す図である。
【図２】（Ａ），（Ｂ）は、コンピュータ、ディスプレイ及びＫＶＭスイッチを備えるシステムの構成を示す図である。
【図３】コンピュータ、ディスプレイ及びＫＶＭスイッチを備えるシステムの構成を示す図である。
【図４】本実施の形態に係るコンピュータ、ディスプレイ及びＫＶＭスイッチを備えるシステムの構成を示す図である。
【図５】メモリに格納される調整値の例を示す図である。
【図６】（Ａ）は、画質設定画面の一例を示す図である。（Ｂ）は、画質設定画面で調整される調整値の具体例を示す図である。
【図７】画質設定画面で調整値を設定する方法を示すフローチャートである。
【図８】ＫＶＭスイッチで実行される処理を示すフローチャートである。
【発明を実施するための形態】
【００１６】
以下、図面を参照しながら本発明の実施の形態を説明する。
【００１７】
図４は、本実施の形態に係るコンピュータ、ディスプレイ及びＫＶＭ（Ｋ：キーボード、Ｖ：ビデオ、Ｍ：マウス）スイッチを備えるシステムの構成を示す図である。
【００１８】
図４において、システム１０は、コンピュータ１１Ａ〜１１Ｄ、ディスプレイ１２、ＫＶＭスイッチ２０を備えている。尚、ディスプレイ１２は、アナログ画像信号の画質を調整するための画質調整機能を備えていてもよいが、備えていなくてもよい。コンピュータ１１Ａ，１１Ｂは、アナログ画像信号を出力し、コンピュータ１１Ｃ，１１Ｄはデジタル画像信号を出力する。
【００１９】
ＫＶＭスイッチ２０は、アナログデジタル兼用ＫＶＭスイッチである。ＫＶＭスイッチ２０は、信号処理回路２１、マイコン２２、スイッチ部２３、アナログ画像入力端子２４Ａ，２４Ｂ、デジタル画像入力端子２４Ｃ，２４Ｄ、デジタル画像出力端子２５、シリアル信号入力端子２６、及びＯＳＤ（On-screen display）コントローラ２７を備えている。マイコン２２は、信号処理回路２１、スイッチ部２３、シリアル信号入力端子２６、及びＯＳＤコントローラ２７に接続されている。アナログ画像入力端子２４Ａ，２４Ｂはアナログ信号ケーブル１４を介してコンピュータ１１Ａ，１１Ｂにそれぞれ接続される。デジタル画像入力端子２４Ｃ，２４Ｄは、デジタル信号ケーブル１５を介してコンピュータ１１Ｃ，１１Ｄにそれぞれ接続される。デジタル画像出力端子２５は、デジタル信号ケーブル１５を介してディスプレイ１２に接続される。キーボード１６及びマウス１７は、シリアル信号入力端子２６に接続される。アナログ画像入力端子２４Ａ，２４Ｂはアナログ画像信号を入力する入力手段として機能し、デジタル画像入力端子２４Ｃ，２４Ｄ（例えばDVI-D端子）はアナログ画像信号を入力する第１入力手段として機能する。スイッチ部２３は、デジタル画像信号の出力元をデジタル画像入力端子２４Ｃ，２４Ｄ又は信号処理回路２１（即ち、後述するＡＤ変換部２１４）のいずれか１つに切り替えるスイッチ手段として機能する。マイコン２２は、選択手段及び設定手段として機能する。尚、アナログ画像入力端子２４Ａ，２４Ｂは、アナログ画像信号及びデジタル画像信号を入力する共用入力端子（例えばDVI-I端子）でもよい。
【００２０】
信号処理回路２１は、コンピュータから入力するアナログ画像信号の画質を調整し、デジタル画像信号に変換する。信号処理回路２１は、コンピュータ１１Ａ，１１Ｂからアナログ画像入力端子２４Ａ，２４Ｂを介してアナログ画像信号を入力するアナログ画像信号入力部２１１，２１２、アナログ画像信号の画質を調整する画像信号調整部２１３、及び画質が調整されたアナログ画像信号をデジタル画像信号に変換するアナログデジタル（ＡＤ）変換部２１４を備えている。ＡＤ変換部２１４により変換されたデジタル画像信号は、スイッチ部２３及びデジタル画像出力端子２５を介してディスプレイ１２に出力される。画像信号調整部２１３は調整手段として機能し、ＡＤ変換部２１４は変換手段として機能する。
【００２１】
マイコン２２は、ＫＶＭスイッチ２０の全体動作を制御し、特に、スイッチ部２３の信号経路の切り替え動作を制御する。マイコン２２は、アナログ画像信号を出力するコンピュータ毎に（即ちアナログ画像入力端子毎に）及び画面解像度毎にアナログ画像信号の画質を調整する調整値を格納するメモリ２２Ａを備えている。メモリ２２Ａは記憶手段として機能する。図５は、メモリ２２Ａに格納される調整値の例を示す図である。尚、調整値については後述する。
【００２２】
また、操作対象のコンピュータがアナログ画像信号を出力するコンピュータ１１Ａ又は１１Ｂに切り替えられ、且つアナログ設定の場合、マイコン２２はメモリ２２Ａに格納された切り替えられたコンピュータに対応する調整値を画像信号調整部２１３に出力し、スイッチ部２３の信号経路の切り替え動作を制御する。尚、操作対象のコンピュータがデジタル画像信号を出力するコンピュータ１１Ｃ又は１１Ｄに切り替えられると、マイコン２２はスイッチ部２３の信号経路の切り替え動作を制御するが、メモリ２２Ａに格納された調整値を画像信号調整部２１３に出力しない。コンピュータ１１Ｃ又は１１Ｄが、デジタル画像信号に加えて画角の情報もディスプレイ１２に伝送するので、画像信号調整部２１３による画質調整が不要だからである。スイッチ部２３は、マイコン２２からの切り替え指示に応じて、ディスプレイ１２に表示される画像信号の受信経路を切り替える。
【００２３】
ＯＳＤコントローラ２７は、キーボード１６及びマウス１７からのホットキー（例えば、ファンクションキー＋「１」キー）の入力に応じて、ＫＶＭスイッチの各種の設定を行う設定画面をディスプレイ１２に出力する。この設定画面において、操作者は、コンピュータ毎に（即ちアナログ画像信号の伝送経路毎に又はアナログ画像入力端子毎に）アナログ画像信号の画質を調整する調整値を設定することができる。調整値の種類については後述する。
【００２４】
図６（Ａ）は、画質設定画面の一例を示す図である。図６（Ｂ）は、画質設定画面で調整される調整値の具体例を示す図である。図６（Ｂ）では、画質設定画面で調整される調整値は、項目、機能及び設定値を含む。
【００２５】
図６（Ａ）の「VIDEO INPUT」の項目にて、該当ポートに入力する信号がデジタルなのかアナログなのかを設定する。図６（Ａ）の「AUTO PHASE ADJUST」の項目が選択されると、マイコン２２が画像のちらつきやにじみ、即ち、PHASE値を自動調整する。「AUTO SIZE」の項目が選択されると、マイコン２２が画像表示位置、即ち、POSITION値を自動調整する。
【００２６】
図６（Ａ）の「BRIGHTNESS」の項目が選択されると、ディスプレイ１２上の画像の明るさを調整することができる。「BRIGHTNESS」の設定値は、０−１００であり、初期値は５０である。例えば、設定値が小さいほど、画像は暗くなり、設定値が大きいほど、画像は明るくなる。「BRIGHTNESS」の設定値は、アナログ画像入力端子毎にメモリ２２Ａに格納される。「BRIGHTNESS」の設定値は、マイコン２２から画像信号調整部２１３に送信され、画像信号調整部２１３は、送信された「BRIGHTNESS」の設定値に応じて、アナログ画像の明るさを調整する。
【００２７】
図６（Ａ）の「POSITION」の項目が選択されると、ディスプレイ１２上の画像の表示位置を調整することができる。「POSITION」の設定値は、画像を上下に移動させる第１設定値と、画像を左右に移動させる第２設定値とを含む。これらの設定値は、各々０−１００であり、初期値は解像度に応じて変更される。「POSITION」の設定値は、マイコン２２から画像信号調整部２１３に送信され、画像信号調整部２１３は、送信された「POSITION」の設定値に応じて、画面上の画像の位置を調整する。
【００２８】
図６（Ａ）の「PHASE」の項目が選択されると、ディスプレイ１２上の画像のちらつきやにじみを調整することができる。「PHASE」の設定値は、０−１００であり、初期値は解像度に応じて変更される。「PHASE」の設定値は、マイコン２２から画像信号調整部２１３に送信され、画像信号調整部２１３は、送信された「PHASE」の設定値に応じて、アナログ画像信号をサンプリングするタイミングを規定するドットクロックの位相を調整することによって、画像のちらつきやにじみを調整する。
【００２９】
図６（Ａ）の「HSYNC  TH.」の項目が選択されると、水平同期信号の検出レベルを調整する。具体的には、信号処理回路２１は、アナログ画像信号を出力するコンピュータから水平同期信号を入力するが、このとき、コンピュータに応じて水平同期信号の入力レベル（入力電圧）が閾値よりも低く、水平同期信号を正確に検出できない場合がある。このため、「HSYNC  TH.」の項目において、水平同期信号を検出するための閾値を調整する。「HSYNC  TH.」の設定値は、０−１５であり、初期値は４である。「HSYNC  TH.」の設定値は、マイコン２２から画像信号調整部２１３に送信され、画像信号調整部２１３は、送信された「HSYNC  TH.」の設定値に応じて、水平同期信号の検出レベルを調整する。
【００３０】
図６（Ａ）の「FACTORY RESET」の項目が選択されると、「BRIGHTNESS」、「POSITION」、「PHASE」及び「HSYNC  TH.」の設定値が工場出荷時の値に戻される。「FACTORY RESET」の項目では、現在の解像度及びリフレッシュレートを表示する。
【００３１】
尚、画質設定画面で調整される調整値は「AUTO PHASE ADJUST」、「AUTO SIZE」、「BRIGHTNESS」、「POSITION」、「PHASE」及び「HSYNC  TH.」の少なくとも１つを備えていればよい。また、画質設定画面で調整される調整値の設定は、キーボード１６の操作内容を受信するマイコン２２によって実行される。
【００３２】
図７は、画質設定画面で調整値を設定する方法を示すフローチャートである。
【００３３】
まず、操作者が所定のホットキーをキーボード１６から入力すると、ＯＳＤコントローラ２７からポート選択画面（不図示）が呼び出され、ディスプレイ１２に表示される（ステップＳ１）。ポート選択画面は、アナログ画像入力端子２４Ａ，２４Ｂ及びデジタル画像入力端子２４Ｃ，２４Ｄのいずれか１つを選択する画面、即ち、アナログポート又はデジタルポートのいずれか１つを選択するための画面である。尚、アナログ画像入力端子２４Ａ，２４Ｂ及びデジタル画像入力端子２４Ｃ，２４Ｄのいずれか１つの選択は、キーボード１６の操作内容を受信するマイコン２２によって実行される。
【００３４】
ポート選択画面で、デジタル画像入力端子２４Ｃ，２４Ｄのいずれか１つが選択された場合には（ステップＳ２でＮＯ）、図６（Ａ）の画質設定画面はディスプレイ１２に表示されない（ステップＳ７）。アナログ画像入力端子２４Ａ，２４Ｂのいずれか一方が選択されると（ステップＳ２でＹＥＳ）、図６（Ａ）の画質設定画面がＯＳＤコントローラ２７から呼び出され、ディスプレイ１２に表示される（ステップＳ３）。
【００３５】
操作者は、キーボード１６のカーソルキーの操作により、表示された画質設定画面から項目を選択し、エンター（enter）キーを押下すると、選択した項目の画質調整を行うための画面（即ち、画質設定画面の画像が、変換されたデジタル画像信号に重畳された画面）がディスプレイ１２に表示される（ステップＳ４）。操作者は、カーソルキーの操作により、画面上の設定値を変更し、「Ｓ」キーを押下すると、設定値がメモリ２２Ａに保存される（ステップＳ５）。操作者は、ステップＳ４〜Ｓ５の処理を繰り返すことで、上述した各種の調整値を保存する。最後に、「ＥＳＣ」キーが押下されると、図６（Ａ）の画質設定画面の表示が終了する（ステップＳ６）。
【００３６】
図８は、ＫＶＭスイッチ２０で実行される処理を示すフローチャートである。
【００３７】
まず、コンピュータ切り替え用の所定のホットキーがキーボード１６から入力されると、ＯＳＤコントローラ２７からポート切り替え画面（不図示）が呼び出され、ディスプレイ１２に表示される（ステップＳ１１）。
【００３８】
マイコン２２は、切り替え先のポートとしてアナログ画像入力端子（２４Ａ又は２４Ｂ）が選択されたか否かを判別する（ステップＳ１２）。切り替え先のポートとしてデジタル画像入力端子が選択された場合には（ステップＳ１２でＮＯ）、手順は後述するステップＳ１７に進む。一方、切り替え先のポートとしてアナログ画像入力端子が選択された場合には（ステップＳ１２でＹＥＳ）、マイコン２２は、ディスプレイ１２の画面解像度の情報を確認する（ステップＳ１３）。ディスプレイの画面解像度の情報は、マイコン２２が予めディスプレイから取得しており、図５に示すように調整値の保存に利用されている。
【００３９】
マイコン２２は、選択されたアナログ画像入力端子及び確認された画面解像度の情報に対応する調整値をメモリ２２Ａから読み出し、その読み出された調整値を画像信号調整部２１３に送信する（ステップＳ１４）。画像信号調整部２１３は、マイコン２２から調整値を受信し、受信した調整値を使ってアナログ画像信号に対して、画質の調整を行い（ステップＳ１５）、ＡＤ変換部２１４が画質が調整されたアナログ画像信号をデジタル画像信号に変換する（ステップＳ１６）。
【００４０】
マイコン２２は、選択されたアナログ画像入力端子に応じて、デジタル画像信号の入力経路の切り替え指示をスイッチ部２３に出力する（ステップＳ１７）。スイッチ部２３は、当該切り替え指示に応じて、画像信号の入力経路を切り替える（ステップＳ１８）。この場合、スイッチ部２３は、画像信号の入力経路としてＡＤ変換部２１４（つまり信号処理回路２１）に接続される入力経路を選択する。これにより、変換されたデジタル画像信号がスイッチ部２３を介してディスプレイ１２に表示される。
【００４１】
以上説明したように、本実施の形態によれば、ＫＶＭスイッチ２０は、コンピュータ１１Ａ，１１Ｂからアナログ画像信号をそれぞれ入力するアナログ画像入力端子２４Ａ，２４Ｂと、当該複数のアナログ画像信号の各々の画質を調整する調整値をアナログ画像入力端子毎に記憶するメモリ２２Ａと、キーボード１６の操作に応じて、アナログ画像入力端子２４Ａ，２４Ｂのうちいずれか１つを選択するマイコン２２と、選択されたアナログ画像入力端子に対応する調整値に基づいて、選択されたアナログ画像入力端子に入力されるアナログ画像信号の画質を調整する画像信号調整部２１３とを備えている。従って、アナログ画像入力端子のうちいずれか１つが選択されるたびに、即ち、操作対象のコンピュータがアナログ画像信号を出力するコンピュータに切り替えられるたびに、適切な画質調整を実行することができる。また、操作対象のコンピュータがアナログ画像信号を出力するコンピュータに切り替えられるたびに、操作者は煩わしい画質調整操作を実行する必要がなくなる。
【００４２】
本実施の形態では、ＫＶＭスイッチ２０はアナログデジタル兼用ＫＶＭスイッチであるが、アナログ画像信号のみを入力するアナログＫＶＭスイッチでもよい。また、コンピュータの台数、並びにアナログ画像入力端子、デジタル画像入力端子及びデジタル画像出力端子の個数は、図４の例に限定されるものではない。
【００４３】
尚、本発明は、上述した実施の形態に限定されるものではなく、その要旨を逸脱しない範囲内で種々変形して実施することが可能である。
【符号の説明】
【００４４】
１０  システム
１１Ａ〜１１Ｄ  コンピュータ
１２  ディスプレイ
２０  ＫＶＭスイッチ
２１  信号処理回路
２２  マイコン
２３  スイッチ部
２４Ａ，２４Ｂ  アナログ画像入力端子
２４Ｃ，２４Ｄ  デジタル画像入力端子
２５  デジタル画像出力端子
２７  ＯＳＤコントローラ
２１３  画像信号調整部
２１４  ＡＤ変換部
【図１】
2016119007.tif 000003
【図２】
2016119007.tif 000004
【図３】
2016119007.tif 000005
【図４】
2016119007.tif 000006
【図５】
2016119007.tif 000007
【図６】
2016119007.tif 000008
【図７】
2016119007.tif 000009
【図８】
2016119007.tif 000010